(57)【要約】【課題】栗石が充填された大重量の石詰篭を簡単に吊り上げて運搬することができる、簡易で効率的な新たな技術手段を提供する。【解決手段】菱形金網からなる矩形の石詰篭１Ａの内部に栗石６を詰め、相対する一対の側面網３ａ，３ｂにおける菱形金網の扁平螺旋状をした複数の列線８のうち、該側面網３ａ，３ｂの上半部側に位置して該側面網の長さ方向に延びる列線８の内部に、棒状をした係止部材１２を挿入したあと、該係止部材１２にワイヤロープ１３を掛けて上記石詰篭１Ａを吊り上げ、目的の場所に運搬する。【選択図】図２
2007224602.tif 000002
【特許請求の範囲】
【請求項１】
菱形金網からなる矩形の石詰篭の内部に栗石を詰める工程、
上記石詰篭の相対する一対の側面網について、該側面網を形成する菱形金網の扁平螺旋状をした複数の列線のうち、該側面網の上半部側に位置して該側面網の長さ方向に延びる列線の内部に、棒状をした係止部材を挿入する工程、
上記係止部材にワイヤロープを掛けて上記石詰篭を吊り上げ、目的の場所に運搬する工程、
を有することを特徴とする石詰篭の運搬方法。
【請求項２】
上記係止部材が、長方形断面を有する板状の部材からなっていて、断面の長手方向を上下方向に向けて上記列線内に挿入されることを特徴とする請求項１に記載の運搬方法。
【請求項３】
列線の内部に１本の係止部材を挿入することを特徴とする請求項１又は２に記載の運搬方法。
【請求項４】
列線の長さ方向に複数の係止部材を挿入することを特徴とする請求項１又は２に記載の運搬方法。
【請求項５】
上記石詰篭を目的の場所に運搬したあと上記係止部材を列線から抜き取る工程を含むことを特徴とする請求項１から４の何れかに記載の運搬方法。
【請求項６】
底面網と前後及び左右の側面網とを有する矩形の箱形をなし、上記各面網が、扁平螺旋状に折曲した複数の列線を折曲部おいて順次係合させてなる菱形金網により形成され、内部に栗石を詰めた状態で運搬される石詰篭であって、
上記前後又は左右の相対する一対の側面網について、該側面網を形成する菱形金網の複数の列線のうち、該側面網の上半部側に位置して該側面網の長さ方向に延びる列線の内部に、ワイヤロープを掛けるための棒状の係止部材が挿入され、石詰め後に該係止部材にワイヤロープを掛けて吊り上げることにより目的の場所に運搬可能とされていることを特徴とする石詰篭。
【請求項７】
上記係止部材が、長方形断面を有する板状の部材からなっていて、断面の長手方向を上下方向に向けて上記列線内に挿入されることを特徴とする請求項６に記載の石詰篭。
【請求項８】
上記底面網が栗石の重量で下向きに湾曲した状態に変形するのを防止するための変形防止機構を有することを特徴とする請求項６又は７に記載の石詰篭。
【請求項９】
上記変形防止機構が、前後及び／又は左右の側面網と底面網との間に張設された支持線からなることを特徴とする請求項６から８の何れかに記載の石詰篭。
【発明の詳細な説明】
【技術分野】
【０００１】
本発明は、内部に石詰めした状態で運搬する石詰篭と、その運搬方法とに関するものである。
【背景技術】
【０００２】
例えば、護岸工事や道路工事等の各種工事に使用される石詰篭（角形蛇篭）は、菱形金網によって六面体状に形成され、その設置に当たっては、空の石詰篭を工事現場に運搬して所定の場所に配置したあと、別途に搬入した栗石を充填するのが一般的であった。ところが、この場合の作業の主体は人力であるため、工事が完成するまでに多くの手数と時間とが必要であり、効率的とはいえなかった。
【０００３】
そこで、このような問題を解決するため、特許文献１及び特許文献２には、空の石詰篭に予め骨材である栗石を詰めることにより、必要量の栗石が充填された石詰篭を形成し、この石詰篭を施工現場へ搬送して設置する方法が開示されている。この方法によれば、石詰篭と骨材とを施工現場に別々に搬送する必要がなく、しかも、現場での充填作業も必要ないため、作業が大幅に簡略化されることになる。
【０００４】
しかし、これらの公知例は、栗石が充填された大重量の石詰篭を吊り上げるため、該石詰篭を特殊な構造にするか、特殊なリフタ手段を用いており、吊り上げのための構造が複雑である。即ち、特許文献１に記載のものは、石詰篭の上面四隅に上向きに延びる吊りフックを形成し、これらの吊りフックに吊込装置の垂下フックを係止させて石詰篭を吊り上げるようにしており、特許文献２に記載のものは、上記リフタ手段として、厚鋼板や型鋼等を適宜組み合わせて溶接加工したものを使用している。
【０００５】
【特許文献１】特許第３０４７２６３号公報
【特許文献２】特開２００２−９７６１６号公報
【発明の開示】
【発明が解決しようとする課題】
【０００６】
そこで本発明の目的は、栗石が充填された大重量の石詰篭を簡単に吊り上げて運搬することができる、石詰篭運搬のための簡易で効率的な技術手段を提供することにある。
【課題を解決するための手段】
【０００７】
上記目的を達成するため、本発明によれば、菱形金網からなる矩形の石詰篭の内部に栗石を詰める工程、上記石詰篭の相対する一対の側面網について、該側面網を形成する菱形金網の扁平螺旋状をした複数の列線のうち、該側面網の上半部側に位置して該側面網の長さ方向に延びる列線の内部に、棒状をした係止部材を挿入する工程、上記係止部材にワイヤロープを掛けて上記石詰篭を吊り上げ、目的の場所に運搬する工程、を有することを特徴とする石詰篭の運搬方法が提供される。
【０００８】
本発明において好ましくは、上記係止部材が、長方形断面を有する板状の部材からなっていて、断面の長手方向を上下方向に向けて上記列線内に挿入されることである。
【０００９】
本発明においては、列線の内部に１本の係止部材を挿入しても、あるいは、列線の長さ方向に複数の係止部材を挿入しても良い。
【００１０】
上記係止部材は、石詰篭を目的の場所に運搬したあとそのまま列線内に挿入しておいても良いが、列線から抜き取っても良い。
【００１１】
また、本発明によれば、底面網と前後及び左右の側面網とを有する矩形の箱形をなし、上記各面網が、扁平螺旋状に折曲した複数の列線を折曲部おいて順次係合させてなる菱形金網により形成され、内部に栗石を詰めた状態で運搬される石詰篭であって、上記前後又は左右の相対する一対の側面網について、これらの側面網を形成する菱形金網の複数の列線のうち、該側面網の上半部側に位置して該側面網の長さ方向に延びる列線の内部に、ワイヤロープを掛けるための棒状の係止部材が挿入され、石詰め後に該係止部材にワイヤロープを掛けて吊り上げることにより目的の場所に運搬可能とされていることを特徴とする石詰篭が提供される。
【００１２】
本発明において好ましくは、上記係止部材が長方形断面を有する板状の部材からなっていて、断面の長手方向を上下方向に向けて上記列線内に挿入されることである。
【００１３】
本発明においては、上記底面網が栗石の重量で下向きに湾曲した状態に変形するのを防止するための変形防止機構を設けることができる。この変形防止機構は、前後及び／又は左右の側面網と底面網との間に張設された支持線で構成することができる。
【発明の効果】
【００１４】
本発明によれば、石詰篭における側面網の上半部側に位置する列線の内部に、単純な形状である棒状の係止部材を挿入するだけで、この係止部材にワイヤロープを掛けて石詰篭を吊り上げることができるため、吊り上げのための機構が非常に簡単で、作業も効率的に行うことができる。しかも、石詰篭自体には吊り上げのために何らの構造的改変を施す必要がなく、通常の石詰篭をそのまま使用することができる。
【発明を実施するための最良の形態】
【００１５】
図１は本発明に係る石詰篭の第１実施形態を示すものである。この石詰篭１Ａは、底面網２と、相対する前後一対の第１側面網３ａ及び第２側面網３ｂと、他の相対する左右一対の第３側面網４ａ及び第４側面網４ｂと、必要に応じて取り付けられる上面網５とを有していて、矩形形状を有するこれらの各面網２，３ａ，３ｂ，４ａ，４ｂ，５によって一方向（図の左右方向）に長い矩形の箱形に形成され、図２に示すように、内部に骨材としての栗石６を充填した状態で建設資材として取り扱われるものである。
【００１６】
上記各面網２，３ａ，３ｂ，４ａ，４ｂ，５は、それぞれ菱形金網によって形成されている。この菱形金網は、図３及び図４からも分かるように、扁平螺旋形状に折曲した複数の列線８を折曲部８ａにおいて順次連係してなるもので、上記各面網２，３ａ，３ｂ，４ａ，４ｂ，５を形成する場合、上記列線８を各面網の縦横何れの方向に向けることもできるが、上記第１側面網３ａ及び第２側面網３ｂにおいては、列線８を該側面網３ａ，３ｂの長さ方向（横方向）に向けて延在させている。これらの第１側面網３ａ及び第２側面網３ｂは、他の第３側面網４ａ及び第４側面網４ｂに比べ、面網の横方向長さが長く形成されている。
【００１７】
上記各面網２，３ａ，３ｂ，４ａ，４ｂ，５は、それぞれを個別に形成して相互に連結しても、一部の面網を一つの菱形金網によって一体に形成しても良い。例えば、底面網２における列線８の向きを上記第１側面網３ａ及び第２側面網３ｂと同じ向きにした場合には、これらの底面網２と第１及び第２側面網３ｂとを一連の菱形金網により形成することができる。また、隣接する面網同士の連結は、各面網２，３ａ，３ｂ，４ａ，４ｂ，５の外周を取り囲む針金製の外周枠９の互いに対応する枠辺同士を、スクリューストッパーのような連結金具１０（図４参照）で結合することにより行われる。
【００１８】
上記石詰篭１Ａは、石詰めされた該石詰篭１Ａを吊り上げて運搬するために使用される棒状の係止部材１２を備えている。この係止部材１２は、長方形断面を有する細長い板状の部材であって、金属等の剛性と強度の大きい素材によって形成され、図４から明らかなように、断面の長手方向を上下方向に向けた状態で、上記第１側面網３ａ及び第２側面網３ｂにおける列線８の内部、即ち、螺旋で囲まれた中空部内に、該側面網３ａ，３ｂの長さ方向（横方向）にそれぞれ挿入されるものである。
【００１９】
上記石詰篭１Ａは、図２に示すように、その内部に必要量の栗石６を充填し、上面に必要に応じて上記上面網５を取り付けたあと、上記係止部材１２を第１側面網３ａ及び第２側面網３ｂの列線８内にそれぞれ該側面網８（従って列線８）のほぼ全長にわたり挿入する。そして、各側面網３ａ，３ｂの長さ方向の両端部寄りの位置において上記係止部材１２にワイヤロープ１３の先端のフック１３ａを掛け、石詰篭１Ａを吊り上げて目的の場所に運搬する。石詰篭１Ａの長さが長いときは、係止部材１２の中間の適宜位置にもワイヤロープ１３を吊り掛けるようにする。
上記目的の場所とは、石詰篭１Ａを一時的に保管するための保管場所や、トラックの荷台、あるいは工事現場における石詰篭１Ａの設置場所等である。
【００２０】
ここで、石詰篭１Ａを吊り上げたとき上記係止部材１２は、挿通した列線８の各折曲部８ａの部分に係止し、石詰篭１Ａの大きな重量を支える。このとき、該係止部材１２は、長方形の断面の長手方向を上下方向に向けた状態で列線８に係止しているため、その支持力は非常に大きく、同程度の断面積を有する円形や角形の部材からなる係止部材に比べて大重量の石詰篭を確実かつ安定的に吊支することができる。しかし、比較的軽量の石詰篭を運搬する場合には、上記係止部材１２として、断面形状が円形や角形などをしたものを使用することもできる。
【００２１】
また、上記係止部材１２は、上述したように、石詰篭１Ａを吊り下げたとき該石詰篭１Ａの重量によって列線８に強く係止するため、該石詰篭１Ａが不測の原因で大きく傾くなどの異常事態が発生しない限り、上記列線８に沿ってずれ動くおそれはなく、従って、該係止部材１２は、列線８に特に固定する必要はないが、より安全を期すため、該係止部材１２の両端部や中間の適宜位置を、針金やボルト・ナット等の固定手段で列線８に固定しても良い。あるいは、該係止部材１２の全部又は一部に、異形鉄筋の外周に形成されているような突起を形成し、この突起が列線８に係止するように構成しても良い。
【００２２】
さらに、上記係止部材１２を挿通する列線８は、基本的にどの列線であっても良いが、石詰篭１Ａを安定的に吊り上げるためには、側面網３ａ，３ｂの高さ方向の中央部より上方に位置する列線であることが好ましい。より好ましくは、側面網３ａ，３ｂの一番上に位置する列線８か、上から２番目あるいは３番目に位置する列線８であるが、１番目の列線８は、その中を外周枠９が挿通していたり、上面網５を連結するための連結金具１０がこの外周枠９に巻き付けられていたりして、係止部材１２の挿通用として使いにくいことがあるため、特に好ましくは２番目あるいは３番目に位置する列線８である。
【００２３】
上記石詰篭１Ａが目的の場所に搬送されたあと、上記係止部材１２からワイヤロープ１３が外されると共に、該係止部材１２が列線８から抜き取られる。しかし、該係止部材１２がその後の作業等の邪魔にならない場合や、他で再使用しない場合には、該係止部材１２を列線８から抜き取ることなく、挿通したまま残しておいても構わない。
【００２４】
なお、上記係止部材１２を列線８に挿通する時期は、必ずしも石詰篭１Ａに石詰めした後である必要はなく、石詰め前であっても良い。ここでいう石詰め前とは、石詰篭を製造した段階や組み立てた段階、あるいは、組み立てた石詰篭を石詰め現場に運んで石詰めする直前の段階等を含むものである。
【００２５】
また、図示した例では、上記係止部材１２の長さが側面網３ａ，３ｂの長さとほぼ同程度であるが、その長さは側面網より長くても短くても良い。側面網３ａ，３ｂより長い場合は、該係止部材１２の一端又は両端が列線８から外部に突出した状態となるため、石詰篭運搬後に該係止部材１２を抜き取る際にその作業を行い易い。なお、係止部材１２の長さが側面網３ａ，３ｂと同程度である場合でも、その一端を列線８から若干突出させておくことは可能である。また、上記係止部材１２が側面網３ａ，３ｂより短い場合、その長さは、例えば該側面網３ａ，３ｂの長さ（従って列線８の長さ）の約１／２以上あれば良く、これにより、この係止部材１２を列線８の中央位置に左右対称に挿入することで石詰篭を安定的に吊り上げることができる。
【００２６】
上記石詰篭１Ａには、底面網２が栗石６の重量で下向きに湾曲した状態に変形するのを防止するための変形防止機構を設けることができる。この変形防止機構は、例えば図１に示すように、前後及び／又は左右の側面網３ａ，３ｂ及び４ａ，４ｂにおける外周枠９又は列線８と、底面網２に取り付けた補強線１５又は列線８との間に、補強用の支持線１６を張設することにより構成することができる。この支持線１６は複数箇所に設けることができる。
【００２７】
図５は本発明の第２実施形態を示すもので、この第２実施形態の石詰篭１Ｂが上記第１実施形態の石詰篭１Ａと相違する点は、第１実施形態の石詰篭１Ａの場合には、第１側面網３ａ及び第２側面網３ｂの各々について、１本の係止部材１２を列線８内に挿入しているのに対し、この第２実施形態の石詰篭１Ｂは、第１側面網３ａ及び第２側面網３ｂの各々について、複数の係止部材１２ａ，１２ｂを列線８の長さ方向に挿入しているという点である。図示した例では、２本の係止部材１２ａ，１２ｂが、列線８の長さ方向の一半部側と他半部側とに、該列線８の長さの範囲内に収まるように挿入されている。しかし、これらの係止部材１２ａ，１２ｂは、一端が列線８から外部に突出する状態に挿入しても良く、この場合には、石詰篭運搬後の係止部材の抜き取り作業が行い易い。
なお、石詰篭が大形で側面網の長さが長い場合には、各側面網について、３本以上の係止部材を列線内に挿入することもでき、この場合にこれらの係止部材は、一列をなすように挿入される。
【００２８】
第２実施形態の上記以外の構成やその好適な変形例及び作用については、上記第１実施形態の場合と実質的に同じである。従って、説明の重複を避けるため、第１実施形態と同一の構成部分に第１実施形態の場合と同じ符号を付し、その説明は省略する。
【００２９】
なお、上記第１実施形態と第２実施形態とを組み合わせる例として、第１側面網３ａ及び第２側面網３ｂの何れか一方においては１本の係止部材を列線内に挿入し、他方においては複数の係止部材を列線内に挿入することも可能である。
また、石詰篭が比較的小形である場合には、横方向長さが短い左右の側面網４ａ，４ｂの列線８、即ち、第３側面網４ａ及び第４側面網４ｂの列線８に、上述した何れかの態様で係止部材を挿通するようにしても良い。この場合、これらの側面網４ａ，４ｂにおける列線の向きが横向きであることは当然である。
【図面の簡単な説明】
【００３０】
【図１】本発明に係る石詰篭の第１実施形態を示す石詰め前の状態での分解斜視図である。
【図２】図１の石詰篭に栗石を詰めて吊り上げる状態を示す斜視図である。
【図３】図２の正面図である。
【図４】図３のＡ−Ａ拡大断面図である。
【図５】本発明に係る石詰篭の第２実施形態を示す正面図である。
【符号の説明】
【００３１】
１Ａ，１Ｂ      石詰篭
２              底面網
３ａ，３ｂ      前後の側面網
４ａ，４ｂ      左右の側面網
６              栗石
８              列線
１２，１２ａ，１２ｂ      係止部材
１３              ワイヤロープ
１６              支持線
【図１】
2007224602.tif 000003
【図２】
2007224602.tif 000004
【図３】
2007224602.tif 000005
【図４】
2007224602.tif 000006
【図５】
2007224602.tif 000007